(57)【要約】【課題】印刷装置で受信した電子メールに添付されているファイルが印刷装置で印刷不可能な場合でも、印刷装置でファイルの印刷を行うことを可能とする。【解決手段】ネットワークシステムは、スキャナ１０、ＰＣ３０、ＰＣ４０、携帯電話機５０、ＰＣ７２、プリンタ８０等を備える。プリンタ８０は、スキャナ１０、ＰＣ３０、ＰＣ４０、携帯電話機５０の何れかから受信したＥメールにファイルが添付されていた場合に添付ファイルが印刷可能なデータ形式か否かを判断し、添付ファイルが印刷不可能なデータ形式の場合に添付ファイルを不揮発性メモリ８７に格納し、不揮発性メモリ８７に格納された添付ファイルをＰＣ７２に転送する。ＰＣ７２は、プリンタ８０から転送された添付ファイルを、プリンタ８０で印刷可能なデータ形式に変換し、プリンタ８０に送信する。【選択図】      図１
2005004586.tif 000002
【特許請求の範囲】
【請求項１】
印刷装置と情報処理装置とを通信可能に接続した印刷システムにおいて、
前記印刷装置は、通信媒体を介して電子メールを受信する通信手段と、受信した電子メールにファイルが添付されていた場合に添付ファイルが印刷可能か否かを判断する判断手段と、前記判断手段により前記添付ファイルが印刷不可能と判断された場合に前記添付ファイルを記憶手段に格納し、前記記憶手段に格納された前記添付ファイルを前記情報処理装置に転送する制御手段とを備え、
前記情報処理装置は、前記印刷装置から転送された前記添付ファイルを、前記印刷装置で印刷可能なファイルに変換する変換手段を備えることを特徴とする印刷システム。
【発明の詳細な説明】
【０００１】
【発明の属する技術分野】
本発明は、外部から受信した電子メール（以下Ｅメールと略称）のメール本文と添付ファイルの印刷が可能な印刷装置を備えた印刷システムに関する。
【０００２】
【従来の技術】
従来、インターネットを介したファクシミリ通信が可能なファクシミリ装置として、Ｅメールを用いたインターネットファクシミリ（以下、インターネットＦＡＸと略称）装置が存在する。インターネットＦＡＸのＳｉｍｐｌｅ  Ｍｏｄｅと呼ばれる規格では、インターネットＦＡＸから、印刷用紙サイズがＡ４、印刷解像度が２００ＤＰＩ（Ｄｏｔ  Ｐｅｒ  Ｉｎｃｈ）の画像データをプリンタに送信し、プリンタで画像データを受信することで画像を印刷出力することが可能である。更に、ファクシミリ専用装置以外の装置でも、例えば、インターネット経由によるＥメールの受信機能を備えたプリンタであれば、Ｅメールのメール本文と添付ファイルを印刷出力することが可能である。
【０００３】
ここで、インターネットＦＡＸのＳｉｍｐｌｅ  Ｍｏｄｅ規格とは、ＴＴＣ（社団法人  電信電話技術委員会）標準ＪＴ−Ｔ３７（「蓄積交換型のインターネットファクシミリデータ伝送手順」に関しての標準）に基づく規格である。
【０００４】
インターネットＦＡＸのＳｉｍｐｌｅ  Ｍｏｄｅ規格では、インターネットやイントラネットを利用したファクシミリの送受信が可能であり、電話回線を利用したファクシミリに比べ通信費の削減を実現し、ファクシミリと同等の簡単な操作で紙文書を電子化して、電子メールに添付してパーソナルコンピュータへ送信することができる。
【０００５】
また、従来、上述したインターネットＦＡＸに関する技術が提案されている（例えば、特許文献１参照）。
【０００６】
【特許文献１】
特開平０８−３０５５１８号公報
【０００７】
【発明が解決しようとする課題】
しかしながら、従来は、プリンタが外部からＥメールを受信して印刷を行う場合に、プリンタ側で印刷画像の生成が可能なデータ形式のファイルがＥメールに添付されている場合にのみ印刷を行い、プリンタ側で印刷画像の生成が不可能なデータ形式のファイルがＥメールに添付されている場合には添付ファイルを破棄してメール本文のみの印刷を行うために、プリンタでＥメールの添付ファイルの印刷が行われたか否かに関わらず、受信が完了したＥメールはインターネットやネットワーク上のメールサーバから消去されていた。そのため、プリンタで印刷不可能なデータ形式のファイルがＥメールに添付されている場合には、プリンタで添付ファイルを印刷可能なデータ形式のファイルに変換した上で、送信者から再度Ｅメールの送信を行ってもらわなければならなかった。
【０００８】
本発明の目的は、印刷装置で受信した電子メールに添付されているファイルが印刷装置で印刷不可能な場合でも、印刷装置でファイルの印刷を行うことを可能とした印刷システムを提供することにある。
【０００９】
【課題を解決するための手段】
上述の目的を達成するため、本発明は、印刷装置と情報処理装置とを通信可能に接続した印刷システムにおいて、前記印刷装置は、通信媒体を介して電子メールを受信する通信手段と、受信した電子メールにファイルが添付されていた場合に添付ファイルが印刷可能か否かを判断する判断手段と、前記判断手段により前記添付ファイルが印刷不可能と判断された場合に前記添付ファイルを記憶手段に格納し、前記記憶手段に格納された前記添付ファイルを前記情報処理装置に転送する制御手段とを備え、前記情報処理装置は、前記印刷装置から転送された前記添付ファイルを、前記印刷装置で印刷可能なファイルに変換する変換手段を備えることを特徴とする。
【００１０】
【発明の実施の形態】
以下、本発明の実施の形態を図面を参照しながら説明する。
【００１１】
［第１の実施の形態］
図１は、本発明の第１の実施の形態に係るＥメールの送受信が可能なネットワークシステムの構成例を示すブロック図である。
【００１２】
図１において、本ネットワークシステムは、スキャナ１０、ルータ１８、パーソナルコンピュータ（以下ＰＣと略称）（クライアント端末）１９、ＰＣ（メールサーバ）２０、ＰＣ３０、モデム３１、ＰＣ４０、データ通信用公衆電話機４１、携帯電話機５０、ルータ７１、ＰＣ（クライアント端末）７２、ＰＣ（メールサーバ）７３、プリンタ８０を備えている。図中、１７及び７０はＬＡＮ（Ｌｏｃａｌ  Ａｒｅａ  Ｎｅｔｗｏｒｋ）、６０はインターネット、６１は公衆回線である。
【００１３】
本実施の形態では、インターネット６０経由によるＥメールの受信機能を備えたプリンタ８０において、Ｅメールのメール本文と添付ファイルの印刷制御、並びにプリンタ８０で印刷が不可能な場合の添付ファイルのバックアップ制御について説明する。
【００１４】
本ネットワークシステムにおいて、スキャナ１０、ＰＣ３０、ＰＣ４０、携帯電話機５０は、画像ファイルを添付したＥメールをインターネット６０を介してプリンタ８０に送信する機能を有する。また、携帯電話機５０のほかに、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）から、ＩＳＤＮ（Ｉｎｔｅｇｒａｔｅｄ  Ｓｅｒｖｉｃｅ  Ｄｉｇｉｔａｌ  Ｎｅｔｗｏｒｋ）などの専用回線を介して、もしくは電話回線を介して、インターネットプロバイダにダイアルアップ接続し、インターネット６０を介してプリンタ８０にＥメールの送信を行うことも可能である。プリンタ８０は、インターネット６０を介してＥメールを受信する機能を有するネットワークプリンタとして構成されており、Ｅメールのメール本文と添付ファイルの印刷が可能である。
【００１５】
本ネットワークシステムの各部について以下詳述する。ＬＡＮ１７は、ルータ１８を介してインターネット６０に専用線で接続されている。ＬＡＮ１７には、スキャナ１０と、クライアント端末１９と、スキャナ１０やクライアント端末１９にＥメールサービスを提供するメールサーバ２０とが接続されている。ＬＡＮ７０は、ルータ７１を介してインターネット６０に専用線で接続されている。ＬＡＮ７０には、プリンタ８０と、クライアント端末７２と、プリンタ８０やクライアント端末７２にＥメールサービスを提供するメールサーバ７３とが接続されている。
【００１６】
本ネットワークシステムにおいては、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）と呼ばれるトランスポートレイヤまでの伝送プロトコルと、ＳＭＴＰ（Ｓｉｍｐｌｅ  Ｍａｉｌ  Ｔｒａｎｓｆｅｒ  Ｐｒｏｔｏｃｏｌ）と呼ばれる上位レイヤの通信プロトコルとの組み合わせを使用することにより、Ｅメールの送受信が行われる。
【００１７】
インターネット６０（通信媒体）は、Ｅメールの送受信媒体となる通信ネットワークである。ルータ１８は、インターネット６０とＬＡＮ１７を相互に接続するための装置である。ルータ７１は、インターネット６０とＬＡＮ７０を相互に接続するための装置である。公衆回線６１は、ＰＣ３０、ＰＣ４０、携帯電話機５０などから送信されたＥメールをインターネット６０に送出する回線である。
【００１８】
スキャナ１０は、原稿から画像を読み取ると共にＥメールの送信が可能な画像読取装置であり、ＬＡＮ１７に接続されている。スキャナ１０は、ＣＰＵ１１、スキャナ部１２、操作部１３、ＲＯＭ１４、ＲＡＭ１５、イーサネット（Ｅｔｈｅｒｎｅｔ（登録商標））インターフェイス（以下インターフェイスと略称）１６を備えている。
【００１９】
ＣＰＵ１１は、スキャナ１０の各部を制御する中央処理装置である。スキャナ部１２は、該スキャナ部１２にセットされた原稿の画像を読み取り画像データに変換する。操作部１３は、スキャナ部１２に対しての動作指示やＥメールの送信宛先の入力を行うためのキーを備えている。
【００２０】
ＲＯＭ１４は、ＣＰＵ１１の制御、スキャナ部１２の制御、原稿から読み取った画像のファイルをＥメールに添付して送信する制御などを実行するための制御プログラムが格納されているメモリである。ＲＡＭ１５は、上記制御プログラムのワークエリアとして使用されるメモリである。インターフェイス１６は、ＬＡＮ１７に接続するためのインターフェイスである。スキャナ１０から送信したＥメールは、インターフェイス１６からＬＡＮ１７を経由し、更にルータ１８を経由してインターネット６０上に送信される。
【００２１】
ＰＣ３０は、モデム３１を介して公衆回線６１に接続されており、モデム３１を介してＥメールの送信が可能である。ＰＣ３０から送信したＥメールは、モデム３１及び公衆回線６１を経由してインターネット６０上に送信される。ＰＣ４０は、データ通信用公衆電話機４１を介して公衆回線６１に接続されており、データ通信用公衆電話機４１を介してＥメールの送信が可能である。ＰＣ４０から送信したＥメールは、データ通信用公衆電話機４１及び公衆回線６１を経由してインターネット６０上に送信される。携帯電話機５０は、公衆回線６１に接続されており、Ｅメールの送信が可能である。携帯電話機５０から送信したＥメールは、公衆回線６１を経由してインターネット６０上に送信される。
【００２２】
クライアント端末１９は、ＬＡＮ１７に接続されており、ルータ１８を介してインターネット６０を経由したＥメールの送受信が可能なＰＣとして構成されている。メールサーバ２０は、スキャナ１０やクライアント端末１９にＥメールサービスを提供する。
【００２３】
クライアント端末７２（情報処理装置、変換手段）は、プリンタ８０が接続されているＬＡＮ７０に接続されており、ルータ７１を介してインターネット６０を経由したＥメールの送受信が可能なＰＣとして構成されている。メールサーバ７３は、プリンタ８０やクライアント端末７２にＥメールサービスを提供する。
【００２４】
プリンタ８０（印刷装置）は、用紙に画像を印刷すると共にＥメールの受信が可能な印刷装置であり、ＬＡＮ７０に接続されている。プリンタ８０は、ＣＰＵ８１（判断手段、制御手段）、エンジン部８２（印刷手段）、操作部８３、ＲＯＭ８４、ＲＡＭ８５、イーサネット（Ｅｔｈｅｒｎｅｔ（登録商標））インターフェイス（以下インターフェイスと略称）８６（通信手段）、不揮発性メモリ８７（記憶手段）を備えている。
【００２５】
ＣＰＵ８１は、プリンタ８０の各部を制御する中央処理装置であり、ＲＯＭ８４に格納された制御プログラムに基づき図６及び図７のフローチャートに示す処理を実行する。エンジン部８２は、印刷媒体である用紙に画像を印刷すると共に画像が印刷された用紙を出力する印刷出力動作を行う。操作部８３は、プリンタ８０の印刷出力に関する各種設定（用紙サイズや印刷部数などの設定）や動作指示（印刷動作の開始などの指示）などを入力するためのキーを備えた操作部である。
【００２６】
ＲＯＭ８４は、ＣＰＵ８１の制御、エンジン部８２の制御、外部から受信したＥメールのメール本文や添付ファイルを印刷する制御などを実行するための制御プログラムが格納されているメモリである。ＲＡＭ８５は、上記制御プログラムのワークエリアとして使用されるメモリである。インターフェイス８６は、ＬＡＮ７０に接続するためのインターフェイスである。不揮発性メモリ８７は、受信したＥメールのメール本文や添付ファイルを保存しておくためのメモリであり、例えばハードディスク或いはフラッシュメモリなどにより構成される。
【００２７】
プリンタ８０においては、インターネット６０及びルータ７１を介して送信されてきたＥメールをインターフェイス８６を介して入力し、ＲＯＭ８４に格納された制御プログラムに基づいて、エンジン部８２によりＥメールのメール本文と添付ファイルを印刷する印刷出力を行う。
【００２８】
次に、上記プリンタ８０の構成を詳述する。本実施の形態では、プリンタ８０を例えば電子写真方式により印刷を行うレーザビームプリンタ（ＬＢＰ）として構成した場合を説明する。
【００２９】
図２は、プリンタ８０の構成例を示す構成図である。
【００３０】
図２において、プリンタ８０は、筐体の各部に、操作部８３、プリンタ制御ユニット１００１、レーザドライバ１００２、半導体レーザ１００３、回転多面鏡１００５、静電ドラム１００６、現像ユニット１００７、用紙カセット１００８、給紙ローラ１００９、搬送ローラ１０１０、１０１１、反射ミラー１０１２、排紙トレイ１０１３を備えている。図中、Ｐは記録媒体である用紙である。
【００３１】
プリンタ８０は、インターフェイス８６を介して受信したＥメールを構成するメール本文及び添付ファイル、或いは、例えばＬＡＮ７０に接続されているＰＣ（クライアント端末７２）から入力されたＰＤＬ（Ｐａｇｅ  Ｄｅｓｃｒｉｐｔｉｏｎ  Ｌａｎｇｕａｇｅ）データに従って、用紙に画像を形成する。プリンタ制御ユニット１００１は、プリンタ全体の制御、ＥメールやＰＤＬデータの受信、受信したＥメールやＰＤＬデータの解析、画像イメージの生成などを行うユニットであり、ＣＰＵ８１、ＲＯＭ８４、ＲＡＭ８５、インターフェイス８６（以上、図１参照）を備えている。操作部８３は、上述した各種設定や動作指示の入力の他に、プリンタ制御ユニット１００１の設定を変更する場合にも用いられる。
【００３２】
レーザドライバ１００２、半導体レーザ１００３、回転多面鏡１００５、静電ドラム１００６、現像ユニット１００７、用紙カセット１００８、給紙ローラ１００９、搬送ローラ１０１０、１０１１等が、図１に示したエンジン部８２に相当する。プリンタ制御ユニット１００１は、生成した画像イメージをビデオ信号に変換してレーザドライバ１００２に出力する。レーザドライバ１００２は、半導体レーザ１００３を駆動するための回路であり、プリンタ制御ユニット１００１から入力されたビデオ信号に応じて半導体レーザ１００３から発射されるレーザ光１００４のオン／オフの切り換えを行う。
【００３３】
半導体レーザ１００３から発射されたレーザ光１００４は、回転多面鏡１００５により左右方向（図１の紙面と直交する方向）に振らされ、更に反射ミラー１０１２により反射され、静電ドラム１００６上を走査露光する。これにより、静電ドラム１００６上には印刷出力画像に対応した静電潜像が形成されることになる。この静電潜像は、静電ドラム１００６の外周側に配設されている現像ユニット１００７により現像された後、用紙Ｐに転写される。用紙Ｐにはカットシートが用いられる。
【００３４】
用紙Ｐはプリンタ８０の筐体に装着された用紙カセット１００８に収納されている。用紙カセット１００８に収納されている用紙Ｐは、給紙ローラ１００９により１枚ずつ給紙され、搬送ローラ１０１０、１０１１によりプリンタ内部に取り込まれて静電ドラム１００６と対向する転写位置に供給される。該転写位置において画像が転写された用紙Ｐは、画像の定着が行われた後、排紙トレイ１０１３に排出される。尚、定着動作については省略する。
【００３５】
次に、例えば、スキャナ１０、ＰＣ３０、ＰＣ４０、携帯電話機５０から送信される、メール本文及び画像ファイルからなるＥメールの構成例を図３を用いて説明する。
【００３６】
図３は、メール本文にファイルを添付したＥメールの構成例を示す図である。
【００３７】
図３において、Ｅメールは、基本的に、Ｅメールの先頭部分である各種情報が記述されたメールヘッダ１００と、Ｅメールの本文であるメール本文１０１と、Ｅメールに添付されたファイルである添付ファイル１０２及び添付ファイル１０３とから構成される。
【００３８】
メールヘッダ１００は、本例では、送信日時情報を設定する“Ｄａｔｅ”フィールド、Ｅメールを識別するために送信日付、時刻、機器のメールアドレスより生成された固有のＩＤを設定する“Ｍｅｓｓａｇｅ”フィールド、送信者のメールアドレスを設定する“Ｆｒｏｍ”フィールド、受信者のメールアドレスを設定する“Ｔｏ”フィールド、そして、メール表題を設定する“Ｓｕｂｊｅｃｔ”フィールドから構成されている。
【００３９】
図３の場合、メールの送信日時は“Ｆｒｉ，  ０７  Ｊｕｌ  ２０００  １２：００：００”、Ｅメールを識別するためのＩＤは“＜２００００７０７１２００００＠ｐｏｐ．ｘｙｚ．ｃｏ．ｊｐ＞”、送信者のメールアドレスは“ｔｒａｎｓｍｉｔ＠ｘｙｚ．ｃｏ．ｊｐ”、受信者のメールアドレスは“ｒｅｃｅｉｖｅ＠ｘｙｚ．ｃｏ．ｊｐ”、メール表題は“Ｅｍａｉｌ  ｆｒｏｍ  Ｓｃａｎｎｅｒ  ｔｏ  Ｐｒｉｎｔｅｒ”である。
【００４０】
また、Ｅメールは、７ビットコードの読取可能な情報でなければならないため、添付ファイル１０２、１０３がバイナリデータであれは、そのまま送信することができない。そこで、メール本文１０１及び添付ファイル１０２、１０３は、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）形式にデータ変換して送信される。
【００４１】
図３の場合、メールヘッダ１００の“ＭＩＭＥ−Ｖｅｒｓｉｏｎ”フィールドによりＭＩＭＥのバージョンを設定し、メール本文１０１及び添付ファイル１０２、１０３の“Ｃｏｎｔｅｎｔ−Ｔｙｐｅ”フィールドにより各データの属性を設定し、“Ｃｏｎｔｅｎｔ−Ｔｒａｎｓｆｅｒ−Ｅｎｃｏｄｉｎｇ”フィールドにより各データの符号化方式を設定している。
【００４２】
メール本文１０１は、本例では、“ＩＳＯ−２０２２−ＪＰ”の言語体系のテキストデータにより構成されている。
【００４３】
添付ファイル１０２は、本例では、“ｂａｓｅ６４”と呼ばれる符号化方式のＪＰＥＧ（Ｊｏｉｎｔ  Ｐｈｏｔｏｇｒａｐｈｉｃ  Ｅｘｐｅｒｔｓ  Ｇｒｏｕｐ）形式の画像データにより構成されている。
【００４４】
添付ファイル１０３は、本例では、“ｂａｓｅ６４”と呼ばれる符号化方式のＴＩＦＦ（Ｔａｇｇｅｄ  Ｉｍａｇｅ  Ｆｉｌｅ  Ｆｏｒｍａｔ）形式の画像データにより構成されている。
【００４５】
ＴＩＦＦ形式とは、インターネットＦＡＸで用いられている形式であり、インターネットＦＡＸのＳｉｍｐｌｅ  Ｍｏｄｅでは、添付ファイルは、ＭＨ（Ｍｏｄｉｆｉｅｄ  Ｈｕｆｆｍａｎ）符号化方式で符号化された、印刷用紙サイズがＡ４サイズ、印刷解像度が２００ＤＰＩの画像データによって構成されている。
【００４６】
尚、本実施の形態では、Ｅメールに２つの添付ファイル１０２、１０３を添付しているが、Ｅメールに添付する添付ファイルの数や添付ファイルの圧縮形式は特に限定するものではない。例えば、ＪＰＥＧ形式やＴＩＦＦ形式などの画像ファイルの他にも、ＰＤＦ（Ｐｏｒｔａｂｌｅ  Ｄｏｃｕｍｅｎｔ  Ｆｏｒｍａｔ）やＰｏｓｔＳｃｒｉｐｔなどのページ記述言語（ＰＤＬ）のファイルをＥメールに添付し、プリンタ８０に送信して印刷してもよいものとする。また、本実施の形態では、ＪＰＥＧ形式、ＴＩＦＦ形式、ＭＨ符号化、ｂａｓｅ６４符号化における各フォーマットの詳細については省略する。
【００４７】
図４は、上記図３に示したＥメールのメール本文と添付ファイルの印刷例を示す図である。
【００４８】
図４において、メール本文４０１を１ページ目に印刷し、２ページ目以降に添付ファイル４０２、添付ファイル４０３を１画像ずつ印刷している。図４の４０１〜４０３は、上記図３の１０１〜１０３にそれぞれ対応した印刷画像である。
【００４９】
次に、スキャナ１０により原稿から読み取った画像をＥメールを介してプリンタ８０に送信し、プリンタ８０によりＥメールを受信して用紙に印刷し出力するまでの動作を図１を用いて説明する。
【００５０】
まず、操作者がスキャナ１０のスキャナ部１２に送信対象の原稿をセットし、操作部１３の所定キーを使用して、Ｅメールの送信先（送信メールアドレス）を入力した後、操作部１３の実行キーを押下すると、スキャナ部１２により原稿が読み取られる。ＣＰＵ１１とＲＯＭ１４内の制御プログラムにより、原稿から読み取られた画像が画像ファイルに変換される。
【００５１】
更に、ＣＰＵ１１とＲＯＭ１４内の制御プログラムにより、画像ファイルは、上記指定された送信メールアドレスを宛先としたＥメールのメール本文に添付される。Ｅメールは、ＳＭＴＰのプロトコルを使用してスキャナ１０のインターフェイス１６からＬＡＮ１７に送出され、ルータ１８からインターネット６０を経由し、更にルータ７１からＬＡＮ７０を経由してプリンタ８０に送信される。
【００５２】
プリンタ８０は、ＳＭＴＰのプロトコルを使用してインターフェイス８６を介して、上記スキャナ１０から送信されてきたＥメールの受信を行う。プリンタ８０のＣＰＵ８１とＲＯＭ８４内の制御プログラムは、インターフェイス８６を介してＥメールを受信すると、Ｅメールのメール本文及び添付ファイルを検出し、テキストデータと画像データに変換してエンジン部８２に出力し、エンジン部８２において印刷処理を行う。尚、添付ファイルは、上述した符号化方式に従ってスキャナ１０において符号化され、プリンタ８０において復号化されることで印刷される。
【００５３】
他方、例えば、ＰＣ３０、ＰＣ４０、携帯電話機５０の何れかからＥメールをプリンタ８０に送信する場合は、それぞれの機器が内蔵しているＥメールの送受信が可能なソフトウェアを使用して行われる。ソフトウェアの詳細説明は省略するが、ソフトウェアは、操作者がＥメールの送信先（送信メールアドレス）の入力とメール本文の入力を行い、メール本文にＪＰＥＧ形式やＴＩＦＦ形式などの画像ファイル、ＰＤＦやＰｏｓｔＳｃｒｉｐｔなどのページ記述言語（ＰＤＬ）のファイルを添付することで、Ｅメールの送信を可能とするものである。
【００５４】
次に、プリンタ８０が、例えば、スキャナ１０、ＰＣ３０、ＰＣ４０、携帯電話機５０の何れかから受信したＥメールを印刷する印刷処理を図５を用いて説明する。
【００５５】
図５は、プリンタ８０におけるＰＤＬデータの印刷処理及びＥメールの印刷処理を示すフローチャートである。本フローチャートに示す処理は、プリンタ８０のＣＰＵ８１がＲＯＭ８４に格納された制御プログラムに基づき実行する。
【００５６】
ここで、プリンタ８０は、受信したＥメールの印刷以外にも、ＬＡＮ７０に接続されているＰＣ（クライアント端末）７２から送信されるページ記述言語（ＰＤＬ）データの印刷も可能であるとするが、ＰＤＬについては周知であり且つＰＤＬデータの印刷処理自体に特徴があるものではないので、本実施の形態ではその処理の詳細説明は省略する。
【００５７】
図５において、プリンタ８０がインターフェイス１６を介して外部からＥメール或いはＰＤＬデータを入力（受信）すると、データ入力待ち状態（ステップＳ２０１）を終了し、プリンタ８０のＣＰＵ８１は入力されたデータがＥメールであるかＰＤＬデータであるかの判断を行う（ステップＳ２０２）。ステップＳ２０２において入力データがＰＤＬデータであると判断した場合、ＣＰＵ８１はＰＤＬデータの解析を行った後（ステップＳ２０３）、印刷が完了した用紙をプリンタ外部へ排紙する排紙命令がＰＤＬデータに存在すると判断するまでの間（ステップＳ２０５でＹｅｓ）、ＰＤＬデータに記述された各命令に従って画像イメージの生成処理（描画処理）を行う（ステップＳ２０４）。
【００５８】
上記ステップＳ２０５において排紙命令がＰＤＬデータに存在すると判断した場合、ＣＰＵ８１は上記描画処理によりＲＡＭ８５上に生成した画像イメージをビデオ信号に変換し（ステップＳ２０６）、ビデオ信号をエンジン部８２に転送することで、エンジン部８２により用紙に印刷を行い（ステップＳ２０７）、印刷が完了した用紙をプリンタ外部へ排紙する（ステップＳ２０８）。その後、上記ステップＳ２０１に戻り、データ入力待ち状態となる。
【００５９】
一方、上記ステップＳ２０２において入力データがＥメールであると判断した場合、ＣＰＵ８１はエンジン部８２によりＥメールの印刷処理を行う（ステップＳ２１０）。その後、上記ステップＳ２０１に戻り、データ入力待ち状態となる。
【００６０】
次に、上記図５のステップＳ２１０に示したＥメールの印刷処理の詳細を図６を用いて説明する。
【００６１】
図６は、Ｅメールの印刷処理の詳細を示すフローチャートである。
【００６２】
図６において、プリンタ８０のＣＰＵ８１はＥメールの印刷処理（ステップＳ２１０）に際し、外部から受信したＥメールに含まれるＭＩＭＥ形式の全てのデータの解析が終了したか否かを判定する（ステップＳ２１１）。ステップＳ２１１においてＭＩＭＥ形式の全てのデータの解析が終了したと判断した場合、ＣＰＵ８１はステップＳ２１０のＥメール印刷処理を終了し、図５のステップＳ２０１に戻りデータ入力待ち状態となる。一方、ステップＳ２１１において未解析のＭＩＭＥ形式のデータが存在すると判断した場合、ＣＰＵ８１はＭＩＭＥ形式のデータの解析を行う（ステップＳ２１２）。
【００６３】
ステップＳ２１２におけるＭＩＭＥ形式のデータ解析の結果、Ｅメールに含まれるデータが、上記図３に示したメール本文１０１のように“ＩＳＯ−２０２２−ＪＰ”の言語体系のテキストデータにより構成されている場合には（ステップＳ２１３でＹｅｓ）、ＣＰＵ８１はＥメールに含まれるデータをメール本文であると判断する。更に、ＣＰＵ８１はＭＩＭＥ形式における符号化方式を判断することで、符号化されたメール本文の符号復元化（復号化）を行い（ステップＳ２１４）、ＲＡＭ８５上に画像イメージの生成処理（描画処理）を行う（ステップＳ２１５）。
【００６４】
更に、ＣＰＵ８１は上記描画処理で生成した画像イメージをビデオ信号に変換し（ステップＳ２１６）、ビデオ信号をエンジン部８２に転送することで、エンジン部８２により用紙に印刷を行い（ステップＳ２１７）、印刷が完了した用紙をプリンタ外部へ排紙する（ステップＳ２１８）。その後、上記ステップＳ２１１に戻り、引き続きＭＩＭＥ形式のデータ解析を継続する。
【００６５】
一方、ステップＳ２１２におけるＭＩＭＥ形式のデータ解析の結果、Ｅメールに含まれるデータが、上記図３に示した添付ファイル１０２、１０３のようにＪＰＥＧ画像データ或いはＴＩＦＦ画像データの場合には（ステップＳ２１３でＮｏ）、ＣＰＵ８１は添付ファイルがプリンタ８０により印刷可能なデータ形式のファイルであるか否かを判定する（ステップＳ２１９）。
【００６６】
ステップＳ２１９において添付ファイルがプリンタ８０により印刷可能なデータ形式のファイルであると判断した場合は、ＣＰＵ８１は添付ファイルの符号復元化（復号化）、画像イメージの生成処理（描画処理）、画像イメージのビデオ信号への変換、印刷、排紙を行う（ステップＳ２１４〜ステップＳ２１８）。
【００６７】
一方、ステップＳ２１９において添付ファイルがプリンタ８０では印刷不可能なデータ形式のファイルであると判断した場合は、ＣＰＵ８１は添付ファイルの符号復元化（復号化）を行い（ステップＳ２２０）、符号復元化された添付ファイルをハードディスク或いはフラッシュメモリから構成される不揮発性メモリ８７に格納する（ステップＳ２２１）。その後、上記ステップＳ２１１に戻り、引き続きＭＩＭＥ形式のデータ解析を継続する。
【００６８】
ここで、印刷可能なデータ形式のファイルとは、ＪＰＥＧ形式やＴＩＦＦ形式などの、ＰＣやインターネット上で使用される一般的なデータ形式の画像ファイル、ＰＤＦやＰｏｓｔＳｃｒｉｐｔなどのページ記述言語（ＰＤＬ）のファイルとする。一方、印刷不可能なデータ形式のファイルとは、ＰＣのアプリケーションソフト（ワードプロセッサソフト、表計算ソフト、ドロー系ソフト、ペイント系ソフト）などのアプリケーションソフト固有のデータ形式を用いたファイルとする。
【００６９】
但し、ＪＰＥＧ形式やＴＩＦＦ形式の画像ファイル、ＰＤＦやＰｏｓｔＳｃｒｉｐｔのファイルのように、ＰＣやインターネット上で使用される一般的なデータ形式のファイルであっても、プリンタ８０で該データ形式のファイルの印刷が不可能な場合には、該ファイルを不揮発性メモリ８７に格納するようにしてもよい。
【００７０】
次に、プリンタ８０の不揮発性メモリ８７に格納されたファイルを、プリンタ８０と同一のネットワーク上に接続されたＰＣにより取り出す方法について図１を用いて説明する。
【００７１】
プリンタ８０と、該プリンタ８０が接続されているＬＡＮ７０上に接続されているＰＣ（クライアント端末）７２との間において、プリンタ８０は、ＦＴＰ（Ｆｉｌｅ  Ｔｒａｎｓｆｅｒ  Ｐｒｏｔｏｃｏｌ）等のファイル転送プロトコルを用いて、プリンタ内の不揮発性メモリ８７に格納されているファイルをＰＣ７２側のハードディスクなどの不揮発性メモリに転送するファイル転送を行う。
【００７２】
その結果、プリンタ８０で印刷不可能であったデータ形式のファイルを、ＰＣ７２が備える画像データ形式変換ソフトを用いることで、プリンタ８０で印刷可能なデータ形式のファイルに変換し、或いは、アプリケーションソフト（ワードプロセッサソフト、表計算ソフト、ドロー系ソフト、ペイント系ソフト）などのアプリケーションソフト固有のデータ形式のファイルを、該アプリケーションソフトを用いることで、プリンタ８０で印刷可能なデータ形式のファイルに変換し、変換したファイルをプリンタ８０に送信することで、変換後のファイルをプリンタ８０で印刷することが可能となる。
【００７３】
尚、上述したＦＴＰなどのファイル転送プロトコルの詳細については既知であるため、本実施の形態では説明を省略する。
【００７４】
以上説明したように、本実施の形態によれば、プリンタ８０がインターネット経由により受信したＥメールを印刷する際に、Ｅメールにプリンタ８０で印刷不可能なデータ形式のファイルが添付されている場合には、添付ファイルをプリンタ内の不揮発性メモリ８７に格納し、プリンタ８０が接続されているＬＡＮ７０上に接続されているＰＣ７２に対してファイル転送を行い、ＰＣ７２において添付ファイルのデータ形式をプリンタ８０で印刷可能なデータ形式のファイルに変換し、変換した添付ファイルをプリンタ８０に送信することで、プリンタ８０で添付ファイルを印刷することが可能となる。
【００７５】
［第２の実施の形態］
次に、本発明の第２の実施の形態を説明する。
【００７６】
本実施の形態に係るＥメールの送受信が可能なネットワークシステムの構成例（図１参照）、プリンタ８０の構成例（図２参照）は、第１の実施の形態と同様であるため説明を省略する。
【００７７】
第１の実施の形態では、プリンタ８０で印刷不可能なデータ形式のファイルをプリンタ内の不揮発性メモリ８７に格納し、プリンタ８０と同一のＬＡＮ７０上に接続されたＰＣ７２に対しファイル転送する場合について説明したが、本実施の形態では、プリンタ８０で印刷不可能なデータ形式のファイルをＥメールに添付して、プリンタ８０の管理者やＬＡＮ７０の管理者宛に自動送信する場合について説明する。
【００７８】
図７は、上記図５のステップＳ２１０に示したＥメールの印刷処理の詳細を示すフローチャートである。
【００７９】
図７のステップＳ２１１〜ステップＳ２１９までの処理は、上記図６のステップＳ２１１〜ステップＳ２１９までの処理と同一である。図７に示す処理が図６に示す処理と異なる点は次の通りである。
【００８０】
即ち、図７のステップＳ２１９において添付ファイルがプリンタ８０では印刷不可能なデータ形式のファイルであると判断した場合、ＣＰＵ８１は該ファイルをプリンタ８０の管理者やＬＡＮ７０の管理者宛のＥメールに添付して、Ｅメールの自動転送を行う（ステップＳ２３０）。
【００８１】
ここで、上記自動転送されたＥメールは、プリンタ８０の管理者やＬＡＮ７０の管理者宛のＥメールとしてメールサーバ７３上にバックアップされる。これにより、例えばＰＣ７２のＥメールソフトを用いてＥメールの添付ファイルを取り出し、添付ファイルをプリンタ８０で印刷可能なデータ形式に変換し、変換した添付ファイルをプリンタ８０に送信することで、プリンタ８０で添付ファイルを印刷することが可能となる。
【００８２】
尚、上記自動転送するＥメールの転送先は、予めプリンタ８０の不揮発性メモリ８７などに記憶させておく。Ｅメールの転送先としては、上述したプリンタ８０の管理者やＬＡＮ７０の管理者以外に設定してもよく、更に、複数の転送先を設定してもよいとする。即ち、Ｅメールの転送先のメールアドレスは任意に設定可能である。
【００８３】
更に、Ｅメールの送信者を転送先としてＥメール転送することで、送信者に対し印刷できなかったことを通知してもよい。
【００８４】
以上説明したように、本実施の形態によれば、プリンタ８０がインターネット経由により受信したＥメールを印刷する際に、Ｅメールにプリンタ８０で印刷不可能なデータ形式のファイルが添付されている場合には、印刷不可能なデータ形式のファイルをＥメールに添付してプリンタ８０の管理者やＬＡＮ７０の管理者に自動的に転送することにより、プリンタ８０で印刷不可能なデータ形式のファイルがプリンタ８０に送信されたことを設定された転送先に対し自動的に通知することができると共に、ファイル転送の操作の手間を省くことができる。
【００８５】
また、自動転送されたＥメールは、プリンタ８０の管理者やＬＡＮ７０の管理者宛のＥメールとしてメールサーバ７３上にバックアップされるため、ＰＣのＥメールソフトを用いてＥメールの添付ファイルを取り出し、添付ファイルをプリンタ８０で印刷可能なデータ形式のファイルに変換し、変換した添付ファイルをプリンタ８０に送信することで、プリンタ８０で添付ファイルを印刷することが可能となる。
【００８６】
尚、上記実施の形態では、スキャナ１０、ＰＣ３０、ＰＣ４０、携帯電話機５０の何れかから、ＰＤＬファイルを添付したＥメールをプリンタ８０に送信する場合を例に挙げたが、本発明はこれに限定されるものではなく、これら以外の機器、例えば携帯情報端末（ＰＤＡ）などの機器から、ファイルを添付したＥメールをプリンタ８０に送信することも可能である。
【００８７】
また、上記実施の形態では、プリンタ８０をレーザビームプリンタとした場合を例に挙げたが、本発明はこれに限定されるものではなく、インクジェットプリンタ、昇華プリンタ、銀塩プリンタ等の、他の印刷方式によるプリンタを用いてもよい。
【００８８】
また、上記実施の形態では、印刷装置をプリンタとした場合を例に挙げたが、本発明はこれに限定されるものではなく、複写機や複合機に適用してもよい。
【００８９】
本発明は、上述した実施の形態の機能を実現するソフトウェアのプログラム（図５、図６、図７のフローチャート）をコンピュータ又はＣＰＵに供給し、そのコンピュータ又はＣＰＵが該供給されたプログラムを読出して実行することによって、達成することができる。
【００９０】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００９１】
上記プログラムの形態は、オブジェクトコード、インタプリタにより実行されるプログラムコード、ＯＳ（オペレーティングシステム）に供給されるスクリプトデータ等の形態から成ってもよい。
【００９２】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００９３】
この場合、格納媒体から読出されたプログラムコード自体が上述した各実施の形態の機能を実現すると共に、そのプログラムコードを記憶した記憶媒体は本発明を構成する。
【００９４】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００９５】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００９６】
更に、本発明は、前述した実施の形態を実現するソフトウェアのプログラムがネットワーク上のデータベース又はホームページから通信プログラムによりダウンロードされ、このプログラムを読出して実行することによって達成することができる。
【００９７】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００９８】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００９９】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【０１００】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【０１０１】
本発明の実施態様の例を以下に列挙する。
【０１０２】
〔実施態様１〕  印刷装置と情報処理装置とを通信可能に接続した印刷システムにおいて、
前記印刷装置は、通信媒体を介して電子メールを受信する通信手段と、受信した電子メールにファイルが添付されていた場合に添付ファイルが印刷可能か否かを判断する判断手段と、前記判断手段により前記添付ファイルが印刷不可能と判断された場合に前記添付ファイルを記憶手段に格納し、前記記憶手段に格納された前記添付ファイルを前記情報処理装置に転送する制御手段とを備え、
前記情報処理装置は、前記印刷装置から転送された前記添付ファイルを、前記印刷装置で印刷可能なファイルに変換する変換手段を備えることを特徴とする印刷システム。
【０１０３】
この実施態様により、印刷装置は、受信した電子メールに添付されたファイルが印刷不可能な場合に添付ファイルを記憶手段に格納し、記憶手段に格納された添付ファイルを転送し、情報処理装置は、印刷装置から転送された添付ファイルを印刷装置で印刷可能なファイルに変換するので、情報処理装置から変換後の添付ファイルを印刷装置に送信することにより、印刷装置で添付ファイルを印刷することが可能となる。
【０１０４】
〔実施態様２〕  前記印刷装置の前記判断手段は、前記添付ファイルが印刷可能か否かを前記添付ファイルのデータ形式に基づいて判断することを特徴とする実施態様１記載の印刷システム。
【０１０５】
〔実施態様３〕  前記情報処理装置の前記変換手段は、前記印刷装置から転送された前記添付ファイルを、前記印刷装置で印刷可能なデータ形式のファイルに変換し、前記印刷装置に送信することを特徴とする実施態様１記載の印刷システム。
【０１０６】
この実施態様により、印刷装置は、受信した電子メールに添付されたファイルが印刷不可能なデータ形式のファイルの場合に添付ファイルを記憶手段に格納し、記憶手段に格納された添付ファイルを転送し、情報処理装置は、印刷装置から転送された添付ファイルを印刷装置で印刷可能なデータ形式のファイルに変換し、変換後の添付ファイルを印刷装置に送信するので、印刷装置で添付ファイルを印刷することが可能となる。
【０１０７】
〔実施態様４〕  前記印刷装置は、前記判断手段により前記添付ファイルが印刷可能と判断された場合に、前記添付ファイルのデータ形式に基づいて印刷画像を生成し印刷を行う印刷手段を備えることを特徴とする実施態様１記載の印刷システム。
【０１０８】
〔実施態様５〕  前記印刷装置の前記記憶手段は、ハードディスク或いはフラッシュメモリから構成される不揮発性の記憶手段であることを特徴とする実施態様１記載の印刷システム。
【０１０９】
〔実施態様６〕  前記印刷装置の前記制御手段は、前記記憶手段に格納された前記添付ファイルを、ＦＴＰ（Ｆｉｌｅ  Ｔｒａｎｓｆｅｒ  Ｐｒｏｔｏｃｏｌ）を含むファイル転送プロトコルを用いて転送することを特徴とする実施態様１記載の印刷システム。
【０１１０】
〔実施態様７〕  前記印刷装置の前記制御手段は、前記判断手段により前記添付ファイルが印刷不可能なデータ形式のファイルと判断された場合に、前記添付ファイルを電子メールに添付し前記通信手段により設定された転送先に転送することを特徴とする実施態様１記載の印刷システム。
【０１１１】
この実施態様により、印刷装置で印刷不可能なファイルが印刷装置に送信されたことを設定された転送先に対し自動的に通知することができると共に、ファイル転送の操作の手間を省くことができる。
【０１１２】
〔実施態様８〕  前記電子メールの転送先の電子メールアドレスは任意に設定可能であることを特徴とする実施態様７記載の印刷システム。
【０１１３】
〔実施態様９〕  通信媒体を介して電子メールを受信する通信手段と、受信した電子メールにファイルが添付されていた場合に添付ファイルが印刷可能か否かを判断する判断手段と、前記判断手段により前記添付ファイルが印刷不可能と判断された場合に前記添付ファイルを記憶手段に格納し、前記記憶手段に格納された前記添付ファイルを転送する制御手段とを備えることを特徴とする印刷装置。
【０１１４】
〔実施態様１０〕  前記判断手段は、前記添付ファイルが印刷可能か否かを前記添付ファイルのデータ形式に基づいて判断することを特徴とする実施態様９記載の印刷装置。
【０１１５】
〔実施態様１１〕  前記判断手段により前記添付ファイルが印刷可能と判断された場合に、前記添付ファイルのデータ形式に基づいて印刷画像を生成し印刷を行う印刷手段を備えることを特徴とする実施態様９記載の印刷装置。
【０１１６】
〔実施態様１２〕  前記記憶手段は、ハードディスク或いはフラッシュメモリから構成される不揮発性の記憶手段であることを特徴とする実施態様９記載の印刷装置。
【０１１７】
〔実施態様１３〕  前記制御手段は、前記記憶手段に格納された前記添付ファイルを、ＦＴＰ（Ｆｉｌｅ  Ｔｒａｎｓｆｅｒ  Ｐｒｏｔｏｃｏｌ）を含むファイル転送プロトコルを用いて転送することを特徴とする実施態様９記載の印刷装置。
【０１１８】
〔実施態様１４〕  前記制御手段は、前記判断手段により前記添付ファイルが印刷不可能なデータ形式のファイルと判断された場合に、前記添付ファイルを電子メールに添付し前記通信手段により設定された転送先に転送することを特徴とする実施態様９記載の印刷装置。
【０１１９】
〔実施態様１５〕  前記電子メールの転送先の電子メールアドレスは任意に設定可能であることを特徴とする実施態様１４記載の印刷装置。
【０１２０】
〔実施態様１６〕  印刷装置と情報処理装置とを通信可能に接続した印刷システムにより実行されるファイル処理方法において、
前記印刷装置により通信媒体を介して電子メールを受信する通信ステップと、受信した電子メールにファイルが添付されていた場合に添付ファイルが印刷可能か否かを判断する判断ステップと、前記判断ステップにより前記添付ファイルが印刷不可能と判断された場合に前記添付ファイルを記憶手段に格納し、前記記憶手段に格納された前記添付ファイルを前記情報処理装置に転送する制御ステップと、前記印刷装置から転送された前記添付ファイルを、前記情報処理装置により前記印刷装置で印刷可能なファイルに変換する変換ステップとを備えることを特徴とするファイル処理方法。
【０１２１】
〔実施態様１７〕  印刷装置と情報処理装置とを通信可能に接続した印刷システムのファイル処理方法をコンピュータに実行させるプログラムにおいて、
前記印刷装置により通信媒体を介して電子メールを受信する通信モジュールと、受信した電子メールにファイルが添付されていた場合に添付ファイルが印刷可能か否かを判断する判断モジュールと、前記判断モジュールにより前記添付ファイルが印刷不可能と判断された場合に前記添付ファイルを記憶手段に格納し、前記記憶手段に格納された前記添付ファイルを前記情報処理装置に転送する制御モジュールと、前記印刷装置から転送された前記添付ファイルを、前記情報処理装置により前記印刷装置で印刷可能なファイルに変換する変換モジュールとを備えることを特徴とするプログラム。
【０１２２】
〔実施態様１８〕  前記実施態様１７記載のプログラムを格納することを特徴とするコンピュータ読み取り可能な記憶媒体。
【０１２３】
【発明の効果】
以上詳細に説明したように、本発明によれば、印刷装置は、受信した電子メールに添付されたファイルが印刷不可能な場合に添付ファイルを記憶手段に格納し、記憶手段に格納された添付ファイルを情報処理装置に転送し、情報処理装置は、印刷装置から転送された添付ファイルを印刷装置で印刷可能なファイルに変換するので、情報処理装置から変換後の添付ファイルを印刷装置に送信することにより、印刷装置で添付ファイルを印刷することが可能となる。
【図面の簡単な説明】
【図１】本発明の第１の実施の形態に係るＥメールの送受信が可能なネットワークシステムの構成例を示すブロック図である。
【図２】プリンタの構成例を示す構成図である。
【図３】メール本文にファイルを添付したＥメールの構成例を示す図である。
【図４】Ｅメールのメール本文と添付ファイルの印刷例を示す図である。
【図５】プリンタにおけるＰＤＬデータの印刷処理及びＥメールの印刷処理を示すフローチャートである。
【図６】Ｅメールの印刷処理の詳細を示すフローチャートである。
【図７】本発明の第２の実施の形態に係るプリンタにおけるＥメールの印刷処理の詳細を示すフローチャートである。
【符号の説明】
１０  スキャナ
１１  ＣＰＵ
１３  操作部
１６  インターフェイス
１７、７０  ＬＡＮ
１８、７１  ルータ
１９、２０、３０、４０、７２、７３  ＰＣ
３１  モデム
４１  データ通信用公衆電話機
５０  携帯電話機
６０  インターネット
８０  プリンタ
８１  ＣＰＵ
８６  インターフェイス
【図１】
2005004586.tif 000003
【図２】
2005004586.tif 000004
【図３】
2005004586.tif 000005
【図４】
2005004586.tif 000006
【図５】
2005004586.tif 000007
【図６】
2005004586.tif 000008
【図７】
2005004586.tif 000009